(57)【要約】      （修正有）【課題】与えられたアナログ映像信号の同期信号の周波数が基本となる周波数から比較的大きくずれた場合でも、正常な映像信号を再生可能な無線映像伝送システムを提供する。【解決手段】送信装置側にて圧縮処理が施されたデジタル映像信号がデジタル映像信号伸張部２０３に与えられる。送信装置側に与えられるアナログ映像信号の水平同期信号の周波数は送信装置側で測定されており、その測定された周波数が規定の周波数より高い場合、第１の電圧制御クロック発生部２０８の生成クロックがデジタル映像信号伸張部２０３に供給される一方、規定の周波数より低い場合、第２の電圧制御クロック発生部２０９の生成クロックがデジタル映像信号伸張部２０３に供給されて、圧縮信号の伸張が行われる。【選択図】図２
2006246185.tif 000002
【特許請求の範囲】
【請求項１】
無線映像送信装置と無線映像受信装置とを有して成る無線映像伝送システムであって、無線映像送信装置は、
外部から供給されるアナログ映像信号をデジタル映像信号に変換するアナログ映像信号入力部と、
変換された前記デジタル映像信号を圧縮して圧縮信号を生成するデジタル映像信号圧縮部と、
前記アナログ映像信号の同期信号の周波数を測定する同期信号周波数測定部と、
同期信号周波数測定部の測定結果に応じた信号及び前記圧縮信号を無線にて送信する送信部と、を備え、無線映像受信装置は、
前記送信部からの前記測定結果に応じた信号及び前記圧縮信号を受信する受信部と、
受信した前記圧縮信号を圧縮前のデジタル映像信号に伸張するデジタル映像信号伸張部と、
生成するクロックの周波数を所定の第１の範囲内で変化させることができる第１のクロック発生部と、
生成するクロックの周波数を前記第１の範囲と異なる第２の範囲内で変化させることができる第２のクロック発生部と、
前記測定結果に基づいて、第１のクロック発生部及び第２のクロック発生部の何れか一方を選択する選択手段と、を備え、
デジタル映像信号伸張部は、前記選択手段により選択されたクロック発生部が生成したクロックを用いて前記伸張を行う
ことを特徴とする無線映像伝送システム。
【請求項２】
前記選択手段は、同期信号周波数測定部により測定された前記同期信号の周波数と所定の第１の閾値との比較結果に基づいて、第１のクロック発生部及び第２のクロック発生部の何れか一方を選択する
ことを特徴とする請求項１に記載の無線映像伝送システム。
【請求項３】
当該無線映像伝送システムは、同期信号周波数測定部により測定された前記同期信号の周波数と所定の第２の閾値との比較結果に応じた情報を告知する告知部を、更に備えた
ことを特徴とする請求項１に記載の無線映像伝送システム。
【発明の詳細な説明】
【技術分野】
【０００１】
本発明は、映像信号を無線にて伝送する無線映像伝送システムに関する。特に、外部から与えられたアナログ映像信号を無線にて伝送し、受信側でアナログ映像信号を復元する無線映像伝送システムに関する。
【背景技術】
【０００２】
従来の無線映像伝送システムは、無線映像送信装置３００と無線映像受信装置４００とから構成される。図３に、無線映像送信装置３００のブロック構成図を示し、図４に、無線映像受信装置４００のブロック構成図を示す。無線映像送信装置３００の入力側には、例えば、ビデオテープレコーダ（ＶＴＲ）等が接続されている。無線映像受信装置４００の出力側には、例えばテレビジョンが接続されている。
【０００３】
図３の無線映像送信装置３００において、図示されないビデオテープレコーダ（ＶＴＲ）等から出力されるアナログ映像信号が、アナログ映像信号入力部３０２に供給される。上記アナログ映像信号は、例えばビデオテープ（記録媒体）に記録されたＮＴＳＣ方式のアナログ映像信号である。以下、アナログ映像信号入力部３０２に供給されるアナログ映像信号がＮＴＳＣ方式のアナログ映像信号であるとして説明を行う。
【０００４】
アナログ映像信号入力部３０２に供給されるアナログ映像信号の水平同期信号の周波数は、原則としてＮＴＳＣ方式で規定された周波数１５．７３４ｋＨｚであり、これに対応してアナログ映像信号入力部３０２に供給されるアナログ映像信号の１ドットに対応する周波数、即ち、アナログ映像信号入力部３０２に供給されるアナログ映像信号の映像ドットクロックの周波数は、原則として１３．５ＭＨｚ（メガヘルツ）である。
【０００５】
アナログ映像信号入力部３０２は、与えられたアナログ映像信号を、２７ＭＨｚ（１３．５ＭＨｚの倍）のサンプリングクロックを用いてデジタル映像信号に変換する。
【０００６】
デジタル映像信号圧縮部３０３は、アナログ映像信号入力部３０２により変換されたデジタル映像信号を圧縮する。この圧縮されたデジタル映像信号は、無線制御部３０４にて無線パケットのベースバンド信号に変換され、更にベースバンド処理回路部３０５にてアナログの同相・直交信号に変換される。このアナログの同相・直交信号は、無線部３０６にて高周波信号に変換され、アンテナ３０７から電波として放射される（送出される）。
【０００７】
図４の無線映像受信装置４００において、アンテナ３０７から送出された高周波信号はアンテナ４０７にて受信され、無線部４０６にてアナログの同相・直交信号に変換される。この変換された同相・直交信号は、ベースバンド処理回路部４０５にてベースバンド信号に変換された後、無線制御部４０４にて圧縮されたデジタル映像信号に変換される。この圧縮されたデジタル映像信号は、デジタル映像信号伸張部４０３に供給される。
【０００８】
電圧制御クロック発生部４０８は、位相比較器、ループフィルタ及び電圧制御発振器（ＶＣＸＯ）を有して構成されるＰＬＬ（Phase Locked Loop）回路から成り（何れも不図示）、アナログ映像信号入力部３０２に与えられたアナログ映像信号の映像ドットクロックの周波数のちょうど倍にあたる周波数（原則として、２７ＭＨｚ）の映像ドットクロックを、デジタル映像信号伸張部４０３から与えられる制御電圧を参照しつつ生成する。
【０００９】
デジタル映像信号伸張部４０３は、電圧制御クロック発生部４０８から与えられた映像ドットクロックを用いて水平同期信号と垂直同期信号を生成しつつ圧縮されたデジタル映像信号を伸張し、圧縮前のデジタル映像信号を生成する。アナログ映像信号入力部３０２が用いたサンプリングクロックの周波数がちょうど２７ＭＨｚである場合、デジタル映像信号伸張部４０３によって生成される水平同期信号の周波数ｆＨと垂直同期信号の周波数ｆＶは、下式（１）及び（２）で表される。
【００１０】
ｆＨ＝２７ＭＨｚ÷１７１６＝１５．７３４ｋＨｚ  ・・・（１）
ｆＶ＝ｆＨ÷（５２５÷２）＝５９．９４Ｈｚ      ・・・（２）
デジタル映像信号伸張部４０３によって生成された圧縮前のデジタル映像信号は、アナログ映像信号出力部４０２にてアナログ映像信号に変換されてから接続されたテレビジョン等に供給され、映像として再生される。
【００１１】
尚、メイン制御部３０１は、アナログ映像信号入力部３０２、デジタル映像信号圧縮部３０３、無線制御部３０４、ベースバンド処理回路部３０５及び無線部３０６の動作を、統括的に制御する。また、メイン制御部４０１は、アナログ映像信号出力部４０２、デジタル映像信号伸張部４０３、無線制御部４０４、ベースバンド処理回路部４０５及び無線部４０６の動作を、統括的に制御している。
【００１２】
また、下記特許文献１には、符号化された映像情報を伝送する映像情報伝送システムであって、符号化された映像情報を複数の分割データに分割する分割手段と、前記分割手段に接続され前記分割データを伝送する複数の伝送端末と、前記複数の伝送端末からの信号を受信する複数または単一の基地局と、前記複数または単一の基地局が接続されている回線網と、前記回線網に接続され前記基地局が受信した前記分割データを複数回線を用いて受信する交換受信手段と、前記交換受信手段から前記分割データを取得し元の映像情報に再構成する再構成手段と、前記再構成された映像情報を復号する復号手段とで構成され、符号化された映像情報の重要度に応じ、重要度が高いデータは、前記分割手段において、複数の伝送経路で伝送可能なように前記符号化映像情報を分割もしくは複製され、複数の伝送端末を用いて重複して伝送が行われ、重要が低いデータは、単一の伝送経路で伝送するように前記分割手段で分割され、単一の前記伝送端末を使用して伝送が行われることを特徴とする映像情報伝送システムが開示されている。
【００１３】
【特許文献１】特開２００３−３０９５９４号公報
【発明の開示】
【発明が解決しようとする課題】
【００１４】
アナログ映像信号入力部３０２に供給されるアナログ映像信号の水平同期信号の周波数は、原則として規定周波数（基本周波数）の１５．７３４ｋＨｚなのであるが、実際は若干量、変動しうる。これに伴って、アナログ映像信号入力部３０２に供給されるアナログ映像信号の映像ドットクロックの周波数も１３．５ＭＨｚから若干量、変動しうる。
【００１５】
電圧制御発振器（ＶＣＸＯ）の発振するクロックの可変範囲は、通常、一定範囲に限られているが（例えば、基準周波数から±１００ｐｐｍ）、アナログ映像信号入力部３０２に供給されるアナログ映像信号が放送による信号の場合は、水平同期信号の周波数の規定周波数（１５．７３４ｋｋｚ）からのずれは比較的小さいため、電圧制御クロック発生部４０８内の電圧制御発振器（ＶＣＸＯ）は、アナログ映像信号入力部３０２に与えられたアナログ映像信号の映像ドットクロックの周波数のちょうど倍にあたる周波数の映像ドットクロックを生成可能である。
【００１６】
しかしながら、例えば、アナログ映像信号の供給元がビデオテープレコーダである場合、ビデオテープの走行速度のばらつき等に起因して、アナログ映像信号入力部３０２に与えられるアナログ映像信号の水平同期信号の周波数が、比較的大きく規定周波数（１５．７３４ｋｋｚ）からずれる場合がある（例えば、±１２０ｐｐｍ）。
【００１７】
このような場合、電圧制御クロック発生部４０８内の電圧制御発振器（ＶＸＣＯ）は、アナログ映像信号入力部３０２に与えられたアナログ映像信号の映像ドットクロックの周波数のちょうど倍にあたる周波数の映像ドットクロック、即ち、圧縮されたデジタル映像信号を伸張するために必要な映像ドットクロックを生成することができない。そうすると、アナログ映像信号入力部３０２で用いたサンプリングクロックと伸張に用いる映像ドットクロックとの間に周波数差が生じ、伸張する際にデータの過不足が発生する。この結果、デジタル映像信号伸張部４０３にて正常なデジタル映像信号を得ることができず、当然、アナログ映像出力部４０２において正常なアナログ映像信号を再生することができなくなる、といった問題が発生していた。
【００１８】
また、上記特許文献１に記載の従来構成例は、伝送路キャリアに負担をかけることなく、伝送容量の増加と安定した受信を実現することを目的とした技術であり、上記問題を解決するものではない。
【００１９】
本発明は、上記の点に鑑み、与えられたアナログ映像信号の同期信号の周波数が基本となる周波数から比較的大きくずれた場合でも、正常な映像信号を再生可能な無線映像伝送システムを提供することを目的とする。
【課題を解決するための手段】
【００２０】
上記目的を達成するために本発明に係る無線映像伝送システムは、無線映像送信装置と無線映像受信装置とを有して成る無線映像伝送システムであって、無線映像送信装置は、外部から供給されるアナログ映像信号をデジタル映像信号に変換するアナログ映像信号入力部と、変換された前記デジタル映像信号を圧縮して圧縮信号を生成するデジタル映像信号圧縮部と、前記アナログ映像信号の同期信号の周波数を測定する同期信号周波数測定部と、同期信号周波数測定部の測定結果に応じた信号及び前記圧縮信号を無線にて送信する送信部と、を備え、無線映像受信装置は、前記送信部からの前記測定結果に応じた信号及び前記圧縮信号を受信する受信部と、受信した前記圧縮信号を圧縮前のデジタル映像信号に伸張するデジタル映像信号伸張部と、生成するクロックの周波数を所定の第１の範囲内で変化させることができる第１のクロック発生部と、生成するクロックの周波数を前記第１の範囲と異なる第２の範囲内で変化させることができる第２のクロック発生部と、前記測定結果に基づいて、第１のクロック発生部及び第２のクロック発生部の何れか一方を選択する選択手段と、を備え、デジタル映像信号伸張部は、前記選択手段により選択されたクロック発生部が生成したクロックを用いて前記伸張を行うことを特徴とする。
【００２１】
上記のように構成すれば、アナログ映像信号入力部に与えられたアナログ映像信号の水平同期信号の周波数に応じて、互いに生成クロックの周波数可変範囲が異なる第１のクロック発生部と第２のクロック発生部の何れか一方が選択される。
【００２２】
例えば、アナログ映像信号入力部に与えられたアナログ映像信号の水平同期信号の周波数が比較的大きい（高い）場合は、比較的大きな周波数のクロックを生成可能なクロック発生部が選択され、アナログ映像信号入力部に与えられたアナログ映像信号の水平同期信号の周波数が比較的小さい（低い）場合は、比較的小さな周波数のクロックを生成可能なクロック発生部が選択される。
【００２３】
これにより、圧縮信号を伸張するために必要なクロックの可変範囲が広がり、アナログ映像信号入力部に与えられたアナログ映像信号の水平同期信号の周波数が、基本となる周波数（基本周波数であり、例えば１５．７３４ｋＨｚ）から比較的大きくずれた場合でも、デジタル映像信号伸張部は正常に圧縮信号を伸張することができる。この結果、正常なアナログ映像信号を再生可能となる。
【００２４】
具体的には、例えば、前記選択手段は、同期信号周波数測定部により測定された前記同期信号の周波数と所定の第１の閾値との比較結果に基づいて、第１のクロック発生部及び第２のクロック発生部の何れか一方を選択すればよい。
【００２５】
また、例えば、当該無線映像伝送システムは、同期信号周波数測定部により測定された前記同期信号の周波数と所定の第２の閾値との比較結果に応じた情報を告知する告知部を、更に備えるようにしてもよい。
【００２６】
アナログ映像信号入力部に与えられたアナログ映像信号の水平同期信号の周波数の基本周波数からのずれ量によっては、第１のクロック発生部と第２のクロック発生部の何れを用いても正常に圧縮信号を伸張できず、ひいては正常なアナログ映像信号を再生できない場合がある。
【００２７】
そこで、上記のように告知部を設け、例えば、アナログ映像信号の再生の正常／不良の境界部分に第２の閾値を設けるようにすれば、水平同期信号の周波数が或る基本周波数から比較低大きくずれていることに起因して正常に圧縮信号を伸張できていない場合、その旨（情報）を表す告知が使用者になされる。
【００２８】
これにより、使用者は映像が正常に再生できていないことを認知できると共に、映像が正常に再生できていない原因を認知することができる。また、正常な再生を実現するための手がかりを得ることにもなる。
【発明の効果】
【００２９】
上述した通り、本発明に係る無線映像伝送システムによれば、与えられたアナログ映像信号の同期信号の周波数が基本となる周波数から比較的大きくずれた場合でも、正常な映像信号を再生可能となる。
【発明を実施するための最良の形態】
【００３０】
以下、本発明に係る無線映像伝送システムの実施形態につき、図面を参照して説明する。本発明に係る無線映像伝送システムは、無線映像送信装置１００と無線映像受信装置２００とを有して成る。図１に、無線映像送信装置１００のブロック構成図を示す。図２に、無線映像受信装置２００のブロック構成図を示す。
【００３１】
（構成の説明）
まず、無線映像送信装置１００と無線映像受信装置２００の構成について説明する。
【００３２】
無線映像送信装置１００は、メイン制御部１０１、アナログ映像信号入力部１０２、デジタル映像信号圧縮部１０３、無線制御部１０４、ベースバンド処理回路部１０５、無線部１０６、アンテナ１０７、同期信号周波数測定部１０８、同期信号周波数判定部１０９及び告知部１１０を有して構成される。
【００３３】
無線映像送信装置１００において、アナログ映像信号入力部１０２の出力側は、デジタル映像信号圧縮部１０３の入力側に接続され、デジタル映像信号圧縮部１０３の出力側は、無線制御部１０４の入力側に接続されている。無線制御部１０４とベースバンド処理回路部１０５は双方向に接続され、ベースバンド処理回路部１０５と無線部１０６は双方向に接続されている。無線部１０６には、アンテナ１０７が接続されている。同期信号周波数測定部１０８の出力側は、同期信号周波数判定部１０９の入力側に接続されている。
【００３４】
メイン制御部１０１は、アナログ映像信号入力部１０２、デジタル映像信号圧縮部１０３、無線制御部１０４、ベースバンド処理回路部１０５、無線部１０６、同期信号周波数測定部１０８及び同期信号周波数判定部１０９の夫々と双方向に接続されている。
【００３５】
無線映像受信装置２００は、メイン制御部２０１（選択手段）、アナログ映像信号出力部２０２、デジタル映像信号伸張部２０３、無線制御部２０４、ベースバンド処理回路部２０５、無線部２０６、アンテナ２０７、第１の電圧制御クロック発生部（第１のクロック発生部）２０８、第２の電圧制御クロック発生部（第２のクロック発生部）２０９及び告知部２１０を有して構成される。
【００３６】
無線映像送信装置２００において、アンテナ２０７には、無線部２０６が接続されている。無線部２０６とベースバンド処理回路部２０５は双方向に接続され、ベースバンド処理回路部２０５と無線制御部２０４は双方向に接続されている。無線制御部２０４の出力側は、デジタル映像信号伸張部２０３の入力側に接続され、デジタル映像信号伸張部２０３の出力側は、アナログ映像信号出力部２０２の入力側に接続されている。第１の電圧制御クロック発生部２０８と第２の電圧制御クロック発生部２０９は、デジタル映像信号伸張部２０３に接続されている。
【００３７】
メイン制御部２０１は、アナログ映像信号出力部２０２、デジタル映像信号伸張部２０３、無線制御部２０４、ベースバンド処理回路部２０５及び無線部２０６の夫々と双方向に接続されている。
【００３８】
（動作の説明）
次に、上記のように構成される無線映像送信装置１００と無線映像受信装置２００の動作について説明する。
【００３９】
無線映像送信装置１００において、図示されないビデオテープレコーダ（ＶＴＲ）等から出力されるアナログ映像信号が、アナログ映像信号入力部１０２に供給される。上記アナログ映像信号は、例えばビデオテープ（記録媒体）に記録されたＮＴＳＣ方式のアナログ映像信号である。以下、アナログ映像信号入力部１０２に供給されるアナログ映像信号がＮＴＳＣ方式のアナログ映像信号であるとして説明を行う。また、以下の説明において示す具体的な数値（周波数等の数値）は、一例であり、本発明がそのような数値に限定されないのは、勿論である。
【００４０】
アナログ映像信号入力部１０２に供給されるアナログ映像信号の１ドットに対応する周波数、即ち、アナログ映像信号入力部１０２に供給されるアナログ映像信号の映像ドットクロックの周波数は原則として１３．５ＭＨｚ（メガヘルツ）であるが、上述したように、その周波数は１３．５ＭＨｚから若干量、変動しうる。従って、アナログ映像信号入力部１０２に供給されるアナログ映像信号の映像ドットクロックの周波数は、（１３．５±Δｆ）ＭＨｚで表される。Δｆは、例えば、１３．５ＭＨｚの±１２０ｐｐｍ（parts per million）の範囲内で変動しうる。
【００４１】
アナログ映像信号入力部１０２は、与えられたアナログ映像信号を、（２７±２・Δｆ）ＭＨｚのサンプリングクロックを用いてデジタル映像信号に変換する。アナログ映像信号入力部１０２は、自身に与えられたアナログ映像信号の同期信号周波数（例えば水平同期信号の周波数）に基づいてΔｆの値を求め、（２７±２・Δｆ）ＭＨｚのサンプリングクロックを生成する。
【００４２】
デジタル映像信号圧縮部１０３は、アナログ映像信号入力部１０２により変換されたデジタル映像信号をＭＰＥＧ（Moving Picture Experts Group）等の方式を用いて圧縮し、圧縮されたデジタル映像信号（以下、「圧縮信号」という）を作成する。アナログ映像信号（デジタル映像信号）やそれに対応する圧縮信号の中には、アナログ映像信号入力部１０２にて用いられたサンプリングクロックの周波数に応じたタイムスタンプが含まれている。従って、この圧縮信号の中には、「デジタル映像信号圧縮部１０３に供給されたデジタル映像信号が（２７±２・Δｆ）ＭＨｚのサンプリングクロックでサンプリングされたものである」という事を示す時間情報（以下「時間情報Ａ」という）が含まれることになる。
【００４３】
無線制御部１０４は、上記圧縮信号を無線パケットのベースバンド信号に変換し、ベースバンド処理回路部１０５は、該ベースバンド信号をアナログの同相・直交信号に変換する。このアナログの同相・直交信号は、無線部１０６にて高周波信号に変換され、アンテナ１０７から電波として放射される（送出される）。
【００４４】
同期信号周波数測定部１０８は、アナログ映像信号入力部１０２に供給されるアナログ映像信号の水平同期信号を検出し（分離生成し）、該水平同期信号の周波数を測定する。この測定した水平同期信号の周波数を、以下「水平同期信号の周波数ｆＨd」と称する。同期信号周波数判定部１０９は、同期信号周波数測定部１０８による水平同期信号の周波数の測定結果を受け、その測定された水平同期信号の周波数ｆＨdを予め定められた閾値と比較する。
【００４５】
上記の閾値には、後述する第１の電圧制御クロック発生部（第１のクロック発生部）２０８と第２の電圧制御クロック発生部（第２のクロック発生部）２０９との選択に用いられる第１の閾値と、後述する告知部１１０及び告知部２１０の動作を制御するための第２の閾値とが含まれる。
【００４６】
例えば、第１の閾値は、ＮＴＳＣ方式において規定された水平同期信号の周波数と同じ１５．７３４ｋＨｚに設定されている。第２の閾値については、後述する。
【００４７】
水平同期信号の周波数ｆＨdと第１の閾値及び第２の閾値との比較の結果（判定結果）は、メイン制御部１０１に与えられ、圧縮信号と同様に無線制御部１０４にて無線パケットのベースバンド信号に変換される。更に、そのベースバンド信号は、ベースバンド処理回路部１０５にてアナログの同相・直交信号に変換された後、無線部１０６にて高周波信号に変換され、アンテナ１０７から電波として放射される（送出される）。
【００４８】
無線制御部１０４、ベースバンド処理回路部１０５、無線部１０６及びアンテナ１０７は、無線映像受信装置２００に対して、同期信号周波数判定部１０９の判定結果を表す信号（換言すれば、同期信号周波数測定部１０８の測定結果に応じた信号）及び圧縮信号を無線送信（無線にて送信）する送信部、として機能する。尚、その送信部は、上記の測定結果に応じた信号及び圧縮信号以外の任意の信号も無線送信することができるようになっている。
【００４９】
メイン制御部１０１は、アナログ映像信号入力部１０２、デジタル映像信号圧縮部１０３、無線制御部１０４、ベースバンド処理回路部１０５、無線部１０６、同期信号周波数測定部１０８、同期信号周波数判定部１０９及び告知部１１０の動作を、統括的に制御する。
【００５０】
無線映像受信装置２００は、無線映像送信装置１００（アンテナ１０７）からの高周波信号をアンテナ２０７で受信する。この受信された高周波信号は、無線部２０６にてアナログの同相・直交信号に変換された後、ベースバンド処理回路部２０５にてベースバンド信号に変換され、無線制御部２０４に送られる。
【００５１】
無線制御部２０４は、与えられたベースバンド信号を、同期信号周波数判定部１０９の判定結果を表す信号（データ）と圧縮信号とに変換し、同期信号周波数判定部１０９の判定結果（即ち、水平同期信号の周波数ｆＨdと第１の閾値及び第２の閾値との比較の結果）を表す信号をメイン制御部２０１に供給すると共に圧縮信号をデジタル映像信号伸張部２０３に供給する。
【００５２】
アンテナ２０７と無線部２０６とから構成される部分、アンテナ２０７と無線部２０６とベースバンド処理回路部２０５とから構成される部分、又はアンテナ２０７と無線部２０６とベースバンド処理回路部２０５と無線制御部２０４とから構成される部分は、同期信号周波数判定部１０９の判定結果を表す信号（換言すれば、同期信号周波数測定部１０８の測定結果に応じた信号）及び圧縮信号を受信する受信部、として機能する。
【００５３】
メイン制御部２０１は、無線制御部２０４から与えられた上記判定結果を表す信号（データ）から、アナログ映像信号入力部１０２に与えられたアナログ映像信号の水平同期信号の周波数（周波数に関する判定結果）を認識する。そして、上記判定結果（換言すれば、同期信号周波数測定部１０８の測定結果）に基づいて、第１の電圧制御クロック発生部２０８と第２の電圧制御クロック発生部２０９のどちらかを択一的に選択し、選択した電圧制御クロック発生部（第１の電圧制御クロック発生部２０８と第２の電圧制御クロック発生部２０９のどちらか）を動作させる。
【００５４】
第１の電圧制御クロック発生部２０８は、位相比較器、ループフィルタ及び電圧制御発振器（ＶＣＸＯ）を有して構成されるＰＬＬ（Phase Locked Loop）回路から成り（何れも不図示）、メイン制御部２０１により選択された際、アナログ映像信号入力部１０２に与えられたアナログ映像信号の映像ドットクロックの周波数（（１３．５±Δｆ）ＭＨｚ）のちょうど倍にあたる周波数（（２７±２・Δｆ）ＭＨｚ）の映像ドットクロックを、デジタル映像信号伸張部２０３から与えられる制御電圧Ｖｃを参照しつつ生成する。
【００５５】
第２の電圧制御クロック発生部２０９も、位相比較器、ループフィルタ及び電圧制御発振器（ＶＣＸＯ）を有して構成されるＰＬＬ（Phase Locked Loop）回路から成り（何れも不図示）、メイン制御部２０１により選択された際、アナログ映像信号入力部１０２に与えられたアナログ映像信号の映像ドットクロックの周波数（（１３．５±Δｆ）ＭＨｚ）のちょうど倍にあたる周波数（（２７±２・Δｆ）ＭＨｚ）の映像ドットクロックを、デジタル映像信号伸張部２０３から与えられる制御電圧Ｖｃを参照しつつ生成する。
【００５６】
デジタル映像信号伸張部２０３は、第１の電圧制御クロック発生部２０８又は第２の電圧制御クロック発生部２０９から供給される映像ドットクロックの周波数が、供給された圧縮信号中の「時間情報Ａ」から認識される周波数（２７±２・Δｆ）ＭＨｚと等しくなるように、第１の電圧制御クロック発生部２０８と第２の電圧制御クロック発生部２０９に与える制御電圧Ｖｃを調整する。
【００５７】
そして、デジタル映像信号伸張部２０３は、その調整により周波数が（２７±２・Δｆ）ＭＨｚと等しくなった第１の電圧制御クロック発生部２０８又は第２の電圧制御クロック発生部２０９からの映像ドットクロックを用いて、適切な周波数を有する水平同期信号と垂直同期信号を生成しつつ圧縮信号を伸張し、圧縮前のデジタル映像信号を生成する。デジタル映像信号伸張部２０３によって生成される水平同期信号の周波数ｆＨと垂直同期信号の周波数ｆＶは、下式（３）及び（４）に従って算出される。
ｆＨ＝（２７±２・Δｆ）ＭＨｚ÷１７１６      ・・・（３）
ｆＶ＝ｆＨ÷（５２５÷２）                    ・・・（４）
【００５８】
メイン制御部２０１により第１の電圧制御クロック発生部２０８が選択されている場合は、第１の電圧制御クロック発生部２０８が生成した映像ドットクロックが、デジタル映像信号伸張部２０３に供給され、その映像ドットクロックが圧縮信号の伸張に用いられる。一方、メイン制御部２０１により第２の電圧制御クロック発生部２０９が選択されている場合は、第２の電圧制御クロック発生部２０９が生成した映像ドットクロックが、デジタル映像信号伸張部２０３に供給され、その映像ドットクロックが圧縮信号の伸張に用いられる。
【００５９】
ここで、第１の電圧制御クロック発生部２０８が生成可能な映像ドットクロックの周波数は、例えば、（２７ＭＨｚ−２７ＭＨｚ×２０ｐｐｍ）〜（２７ＭＨｚ＋２７ＭＨｚ×１８０ｐｐｍ）となっている。即ち、第１の電圧制御クロック発生部２０８が生成する映像ドットクロックの周波数の可変範囲は、下限が「２７ＭＨｚから２７ＭＨｚの２０ｐｐｍに相当する周波数を差し引いた周波数」であり、上限が「２７ＭＨｚに２７ＭＨｚの１８０ｐｐｍに相当する周波数を加えた周波数」となっている。
【００６０】
一方、第２の電圧制御クロック発生部２０９が生成可能な映像ドットクロックの周波数は、例えば、（２７ＭＨｚ−２７ＭＨｚ×１８０ｐｐｍ）〜（２７ＭＨｚ＋２７ＭＨｚ×２０ｐｐｍ）となっている。即ち、第２の電圧制御クロック発生部２０９が生成する映像ドットクロックの周波数の可変範囲は、下限が「２７ＭＨｚから２７ＭＨｚの１８０ｐｐｍに相当する周波数を差し引いた周波数」であり、上限が「２７ＭＨｚに２７ＭＨｚの２０ｐｐｍに相当する周波数を加えた周波数」となっている。
【００６１】
このように、第１の電圧制御クロック発生部２０８及び第２の電圧制御クロック発生部２０９の生成する映像ドットクロックの可変範囲が制限されるのは、それらに含まれている電圧制御発振器（ＶＣＸＯ）の発振するクロックの可変範囲が限られていることに起因する。
【００６２】
そして、メイン制御部２０１に与えられた同期信号周波数判定部１０９の判定結果が「アナログ映像信号入力部１０２に与えられたアナログ映像信号の水平同期信号の周波数が、第１の閾値（１５．７３４ｋＨｚ）よりも大きい（高い）」ことを示す場合、メイン制御部２０１は、第１の電圧制御クロック発生部２０８を選択する。
【００６３】
この場合、デジタル映像信号伸張部２０３は、第１の電圧制御クロック発生部２０８によって生成された周波数が（２７±２・Δｆ）ＭＨｚの映像ドットクロックを用いて、無線制御部２０４から供給される圧縮信号を、圧縮前のデジタル映像信号に伸張し、その伸張によって得られたデジタル映像信号をアナログ映像信号出力部２０２に供給する。
【００６４】
一方、メイン制御部２０１に与えられた同期信号周波数判定部１０９の判定結果が「アナログ映像信号入力部１０２に与えられたアナログ映像信号の水平同期信号の周波数が、第１の閾値（１５．７３４ｋＨｚ）よりも小さい（低い）」ことを示す場合、メイン制御部２０１は、第２の電圧制御クロック発生部２０９を選択する。
【００６５】
この場合、デジタル映像信号伸張部２０３は、第２の電圧制御クロック発生部２０９によって生成された周波数が（２７±２・Δｆ）ＭＨｚの映像ドットクロックを用いて、無線制御部２０４から供給される圧縮信号を、圧縮前のデジタル映像信号に伸張し、その伸張によって得られたデジタル映像信号をアナログ映像信号出力部２０２に供給する。
【００６６】
アナログ映像信号出力部２０２は、与えられたデジタル映像信号をアナログ映像信号に変換する。アナログ映像信号出力部２０２にて得られたアナログ映像信号は、外部の図示されない映像表示装置（テレビジョン等）に供給され、映像として表示される。
【００６７】
このように、第１の電圧制御クロック発生部２０８及び第２の電圧制御クロック発生部２０９を用いることによって、デジタル映像信号伸張部２０３に供給することのできる映像ドットクロックの可変範囲は、例えば、（２７ＭＨｚ−２７ＭＨｚ×１８０ｐｐｍ）〜（２７ＭＨｚ＋２７ＭＨｚ×１８０ｐｐｍ）、に拡大される。そして、アナログ映像信号入力部１０２に与えられたアナログ映像信号の水平同期信号の周波数に応じて適切な周波数可変範囲を有する電圧制御クロック発生部が選択されるため、アナログ映像信号入力部１０２に与えられた（即ち、無線映像送信装置１００に与えられた）アナログ映像信号の水平同期信号の周波数が規定された周波数（例えば、１５．７３４ｋＨｚ）より比較的大きくずれた場合でも、無線映像受信装置２００は正常なアナログ映像信号を出力することができる。
【００６８】
以下に、デジタル映像信号伸張部２０３から出力される制御電圧Ｖｃの調整法について、説明を加えておく。図５は、制御電圧Ｖｃと生成される映像ドットクロックの周波数との関係を示す図である。図５において、直線５１は、制御電圧Ｖｃと第１の電圧制御クロック発生部２０８が生成する映像ドットクロックの周波数との関係を表しており、直線５２は、制御電圧Ｖｃと第２の電圧制御クロック発生部２０９が生成する映像ドットクロックの周波数との関係を表している。
【００６９】
直線５１に示す如く、第１の電圧制御クロック発生部２０８は、制御電圧Ｖｃが０Ｖである時に（２７ＭＨｚ−２７ＭＨｚ×２０ｐｐｍ）の周波数の映像ドットクロックを生成し、制御電圧Ｖｃが増加するに従って、その周波数を増大させる。そして、制御電圧Ｖｃが５Ｖである時に（２７ＭＨｚ＋２７ＭＨｚ×１８０ｐｐｍ）の周波数の映像ドットクロックを生成する。また、第１の電圧制御クロック発生部２０８は、制御電圧Ｖｃが０．８Ｖである時に（２７±０）ＭＨｚの周波数の映像ドットクロックを生成する。
【００７０】
直線５２に示す如く、第２の電圧制御クロック発生部２０９は、制御電圧Ｖｃが０Ｖである時に（２７ＭＨｚ−２７ＭＨｚ×１８０ｐｐｍ）の周波数の映像ドットクロックを生成し、制御電圧Ｖｃが増加するに従って、その周波数を増大させる。そして、制御電圧Ｖｃが５Ｖである時に（２７ＭＨｚ＋２７ＭＨｚ×２０ｐｐｍ）の周波数の映像ドットクロックを生成する。
【００７１】
例えば、メイン制御部２０１により第１の電圧制御クロック発生部２０８が選択されている場合を考える。まず、デジタル映像信号伸張部２０３は制御電圧Ｖｃを０．８Ｖとする。そうすると、第１の電圧制御クロック発生部２０８が生成する映像ドットクロックの周波数は（２７±０）ＭＨｚとなり、デジタル映像信号伸張部２０３は、この（２７±０）ＭＨｚの周波数の映像ドットクロックを用いて圧縮信号を伸張する。
【００７２】
この際、アナログ映像信号入力部１０２が用いたサンプリングクロックの周波数が（２７±０）ＭＨｚであるならば、伸張により得られた信号中のタイムスタンプの値と圧縮信号中のタイムスタンプの値が一致する。このため、デジタル映像信号伸張部２０３は制御電圧Ｖｃを０．８Ｖのままに保つ。
【００７３】
仮に、アナログ映像信号入力部１０２が用いたサンプリングクロックの周波数が（２７ＭＨｚ＋２７ＭＨｚ×１８０ｐｐｍ）に変動した場合、第１の電圧制御クロック発生部２０８で生成される映像ドットクロックの方が遅くなり（周波数が小さくなり）、伸張により得られた信号中のタイムスタンプの値と圧縮信号中のタイムスタンプの値に差が生じる。この場合、デジタル映像信号伸張部２０３は、その差をゼロにするべく制御電圧Ｖｃを０．８Ｖより増加させる（例えば、０．９Ｖにする）。
【００７４】
上記のタイムスタンプの値の比較と制御電圧Ｖｃの増減は、伸張により得られた信号中のタイムスタンプの値と圧縮信号中のタイムスタンプの値が一致するまで繰り返され、一致した時点の制御電圧Ｖｃで安定化される。即ち、デジタル映像信号伸張部２０３は、第１の電圧制御クロック発生部２０８が生成する映像ドットクロックの周波数が（２７ＭＨｚ＋２７ＭＨｚ×１８０ｐｐｍ）となるように制御電圧Ｖｃを５Ｖまで増加させる。
【００７５】
メイン制御部２０１により第１の電圧制御クロック発生部２０８が選択されている場合を例示したが、メイン制御部２０１により第２の電圧制御クロック発生部２０９が選択されている場合も同様である。
【００７６】
（告知部）
次に、告知部１１０と告知部２１０の動作について説明する。告知部１１０及び告知部２１０が、それぞれ使用者（視聴者）に明滅が確認できるように配置されたＬＥＤ（Light Emitting Diode）から構成されているものとして説明する（但し、ＬＥＤは不図示）。また、第１の電圧制御クロック発生部２０８が生成可能な映像ドットクロックの周波数が、（２７ＭＨｚ−２７ＭＨｚ×２０ｐｐｍ）〜（２７ＭＨｚ＋２７ＭＨｚ×１８０ｐｐｍ）であり、且つ第２の電圧制御クロック発生部２０９が生成可能な映像ドットクロックの周波数が、（２７ＭＨｚ−２７ＭＨｚ×１８０ｐｐｍ）〜（２７ＭＨｚ＋２７ＭＨｚ×２０ｐｐｍ）であるとして説明する。
【００７７】
告知部１１０と告知部２１０の動作を制御するための第２の閾値は、閾値Ａと閾値Ｂとの２つの閾値から構成されている。例えば、閾値Ａは、（１５．７３４ｋＨｚ−１５．７３４ｋＨｚ×１８０ｐｐｍ）に設定され、閾値Ｂは、（１５．７３４ｋＨｚ＋１５．７３４ｋＨｚ×１８０ｐｐｍ）に設定される。
【００７８】
そして、同期信号周波数判定部１０９は、同期信号周波数測定部１０８が測定した水平同期信号の周波数ｆＨdと、第２の閾値（閾値Ａと閾値Ｂの夫々）とを比較し、下記不等式（５）または不等式（６）が成立するか否かを判定する。これらの判定結果は、上述したように、メイン制御部１０１及びメイン制御部２０１に伝送される。
（水平同期信号の周波数ｆＨd）＜閾値Ａ  ・・・（５）
（水平同期信号の周波数ｆＨd）＞閾値Ｂ  ・・・（６）
【００７９】
不等式（５）が成立する場合、水平同期信号の周波数ｆＨdが、（１５．７３４ｋＨｚ−１５．７３４ｋＨｚ×１８０ｐｐｍ）を下回っており、無線映像受信装置２００において、第２の電圧制御クロック発生器２０９を選択したとしても正常なアナログ映像信号を再生することができない（或いは、再生できるとは限らない）。
【００８０】
また、不等式（６）が成立する場合、水平同期信号の周波数ｆＨdが、（１５．７３４ｋＨｚ＋１５．７３４ｋＨｚ×１８０ｐｐｍ）を上回っており、無線映像受信装置２００において、第１の電圧制御クロック発生器２０８を選択したとしても正常なアナログ映像信号を再生することができない（或いは、再生できるとは限らない）。
【００８１】
そこで、不等式（５）と不等式（６）の何れかが成立する場合、正常なアナログ映像信号を再生することができていないことを示すべく、メイン制御部１０１は告知部１１０のＬＥＤを点灯させ、メイン制御部２０１は告知部２１０のＬＥＤを点灯させる。他方、不等式（５）と不等式（６）の何れもが成立していない場合、メイン制御部１０１は告知部１１０のＬＥＤを消灯させ、メイン制御部２０１は告知部２１０のＬＥＤを消灯させる。
【００８２】
何らの告知もなく、映像が正常に映らなくなった場合、使用者は不快感を覚えるばかりでなく、正常な映像を得るための情報を何ら得ることができない。しかしながら、上記のように動作する告知部１１０及び告知部２１０を設ければ、水平同期信号の周波数ｆＨdが規定の周波数から比較低大きくずれていることに起因して正常なアナログ映像信号を再生することができていない場合、その旨（情報）を表す告知が使用者になされる。
【００８３】
これにより、使用者は映像が正常に映っていないことを認知できると共に、映像が正常に映らなくなった原因を認知することができる。また、正常な再生を実現するための手がかりを得ることにもなる。
【００８４】
尚、「正常なアナログ映像信号を再生することができていない」旨を告知する手法としては、ＬＥＤの点灯／消灯以外の様々な手法を採用可能である。例えば、液晶表示パネル等を用いた文字表示による告知でもよいし、音源（ブザー等）を用いた音声による告知でもよい。
【００８５】
また、メイン制御部２０１は、アナログ映像信号出力部２０２、デジタル映像信号伸張部２０３、無線制御部２０４、ベースバンド処理回路部２０５、無線部２０６、第１の電圧制御クロック発生部２０８、第２の電圧制御クロック発生部２０９及び告知部２１０の動作を、統括的に制御している。
【００８６】
＜＜変形等＞＞
無線映像送信装置１００に告知部１１０を設け、且つ無線映像受信装置２００に告知部２１０を設ける構成を示したが、告知部２１０を省略し、告知部１１０だけを設けるようにしても構わない。また、告知部１１０を省略し、告知部２１０だけを設けるようにしても構わない。
【００８７】
同期信号周波数判定部１０９を、無線映像送信装置１００側に設ける例を示したが、同期信号周波数判定部１０９を無線映像受信装置２００側に設けるようにしても構わない。この場合、同期信号周波数測定分１０８の測定結果を、メイン制御部１０１、無線制御部１０４、ベースバンド処理回路部１０５及び無線部１０６を介してアンテナ１０７から無線送信し、アンテナ２０７、無線部２０６、ベースバンド処理回路部２０５及び無線制御部２０４を介して無線映像受信装置２００側に設けられた同期信号周波数判定部１０９に伝送すればよい。
【００８８】
また、アナログ映像信号入力部１０２にアナログ映像信号を供給する供給源としてビデオテープレコーダを特に例示したが、そのような供給源は、ビデオテープレコーダに限定されない。例えば、ＤＶＤ（Digital Versatile Disk）再生装置であってもよい。ＤＶＤ再生装置の内部で用いられる発振器による発振周波数のずれ（一般的には±３０ｐｐｍ程度）が比較的大きい場合、ビデオテープレコーダを供給源とした場合と同様の問題が生じうる。
【００８９】
また、第１の閾値を１つだけ設けると共に、２つの電圧制御クロック発生部（第１の電圧制御クロック発生部２０８及び第２の電圧制御クロック発生部２０９）を設けるようにし、水平同期信号の周波数ｆＨdと単一の閾値（第１の閾値）との比較結果に応じて、選択した電圧制御クロック発生部を動作させる例を示したが、第１の閾値を複数段階に設けるようにしてもよい。
【００９０】
つまり、第１の閾値を、２（或いは３、４、・・・）段階に設定することで、水平同期信号の周波数ｆＨdを３（或いは４、５、・・・）段階に判定すると共に、これに対応して電圧制御クロック発生部を３つ（或いは、４つ、５つ、・・・）設けるようにしてもよい。
【００９１】
例えば、第１の閾値として、２つ（２段階）の閾値Ｃ、Ｄを設け、電圧制御クロック発生部として３つの電圧制御クロック発生部ａ、ｂ、ｃを設ける場合、例えば、閾値Ｃ、Ｄを、それぞれ（１５．７３４ｋＨｚ−１５．７３４ｋＨｚ×８０ｐｐｍ）、（１５．７３４ｋＨｚ＋１５．７３４ｋＨｚ×８０ｐｐｍ）とし、電圧制御クロック発生部ａ、ｂ、ｃの生成する映像ドットクロックの可変範囲を、それぞれ（２７Ｈｚ−２７ＭＨｚ×２６０ｐｐｍ）〜（２７Ｈｚ−２７ＭＨｚ×６０ｐｐｍ）、（２７Ｈｚ−２７ＭＨｚ×１００ｐｐｍ）〜（２７Ｈｚ＋２７ＭＨｚ×１００ｐｐｍ）、（２７Ｈｚ＋２７ＭＨｚ×６０ｐｐｍ）〜（２７Ｈｚ＋２７ＭＨｚ×２６０ｐｐｍ）とする。
【００９２】
そして、“（水平同期信号の周波数ｆＨd）＜閾値Ｃ”のときは電圧制御クロック発生部ａが、“閾値Ｃ＜（水平同期信号の周波数ｆＨd）＜閾値Ｄ”のときは電圧制御クロック発生部ｂが、“閾値Ｄ＜（水平同期信号の周波数ｆＨd）”のときは電圧制御クロック発生部ｃが、映像ドットクロックをデジタル映像信号伸張部２０３に供給すればよい。
【産業上の利用可能性】
【００９３】
本発明に係る無線映像伝送システムによれば、与えられたアナログ映像信号の同期信号の周波数が基本となる周波数から比較的大きくずれた場合でも、正常な映像信号を再生可能となる。
【図面の簡単な説明】
【００９４】
【図１】本発明の無線映像伝送システムにおける無線映像送信装置の概略的構成を示すブロック図である。
【図２】本発明の無線映像伝送システムにおける無線映像受信装置の概略的構成を示すブロック図である。
【図３】従来の無線映像伝送システムにおける無線映像送信装置の概略的構成を示すブロック図である。
【図４】従来の無線映像伝送システムにおける無線映像受信装置の概略的構成を示すブロック図である。
【図５】図２のデジタル映像信号伸張部が出力する制御電圧と生成される映像ドットクロックの周波数との関係を示す図である。
【符号の説明】
【００９５】
１００    無線映像送信装置
１０１    メイン制御部
１０２    アナログ映像信号入力部
１０３    デジタル映像信号圧縮部
１０４    無線制御部
１０５    ベースバンド処理回路部
１０６    無線部
１０７    アンテナ
１０８    同期信号周波数測定部
１０９    同期信号周波数判定部
１１０    告知部
２００    無線映像受信装置
２０１    メイン制御部
２０２    アナログ映像信号出力部
２０３    デジタル映像信号伸張部
２０４    無線制御部
２０５    ベースバンド処理回路部
２０６    無線部
２０７    アンテナ
２０８    第１の電圧制御クロック発生部
２０９    第２の電圧制御クロック発生部
２１０    告知部
【図１】
2006246185.tif 000003
【図２】
2006246185.tif 000004
【図３】
2006246185.tif 000005
【図４】
2006246185.tif 000006
【図５】
2006246185.tif 000007